(57)【特許請求の範囲】
【請求項１】
少なくとも一面側に表示面を有した第一の看板本体と、表裏両面に表示面を有した第二の看板本体と、これら看板本体の相対的な対面角度を変更し得るように前記看板本体同士を接続する回動連結手段と、少なくとも前記第二の看板本体に設けられ前記両表示面を表裏反転させるための表示面反転手段とを具備してなり、
表裏両面に表示面を有した前記看板本体が、前記回動連結手段を介して相手側の看板本体に接続される回動部と、この回動部に一体回動可能に支持され両面に表示面を有した反転部とを備えたものであり、
前記表示面反転手段が、前記反転部を前記回動部に軸を介して反転動作可能に支持させたものであり、
前記反転部が、前記回動部に前記軸を介して支持されたものであり、前記表示面を設けた枠体と、この枠体の下端部から下方に延出させた脚とを備えたものである看板。
【請求項２】
それぞれ表裏両面に表示面を有した対をなす看板本体と、これら看板本体の相対的な対面角度を変更し得るように前記看板本体同士を接続する回動連結手段と、前記看板本体にそれぞれ設けられ前記両表示面を表裏反転させるための表示面反転手段とを具備してなり、
表裏両面に表示面を有した前記看板本体が、前記回動連結手段を介して相手側の看板本体に接続される回動部と、この回動部に一体回動可能に支持され両面に表示面を有した反転部とを備えたものであり、
前記表示面反転手段が、前記反転部を前記回動部に軸を介して反転動作可能に支持させたものであり、
前記反転部が、前記回動部に前記軸を介して支持されたものであり、前記表示面を設けた枠体と、この枠体の下端部から下方に延出させた脚とを備えたものである看板。
【請求項３】
表裏両面に表示面を有した前記看板本体が、前記反転部の前記回動部に対する反転動作が禁止されたロック状態と、前記反転部の前記回動部に対する反転動作が許容されるロック解除状態とを選択的にとり得るロック機構を備えている請求項１又は２記載の看板。
【請求項４】
前記回動連結手段が、蝶番を介して前記両看板本体の上端同士を連結したものである請求項１、２又は３記載の看板。
【発明の詳細な説明】
【技術分野】
【０００１】
本発明は、店先等に載置して利用される看板に関する。
【背景技術】
【０００２】
従来、この種の看板として、それぞれ一面側に表示面を有した対をなす看板本体を有し、蝶番を介してそれら対をなす看板本体の上端同士を連結してなるものが知られている（例えば、特許文献１を参照）。
【０００３】
しかして、この看板は、背合わせにした対をなす看板本体の対面角度を変更できるようになっており、両看板本体同士をハの字状に開いて安定した使用姿勢を採らせることや、前記両看板本体の背面同士を密着させてコンパクトな収納姿勢を採らせることが自由にできるようになっている。
【０００４】
ところが、従来のものは、対をなす看板本体の表面にしか各種の表示を記述することができない。すなわち、従来のものは、表示面が二面しか存在しない。そのため、表示面に記載した表示内容を、比較的頻繁に書き直したり、或いは、取り換えたりする必要があった。
【先行技術文献】
【特許文献】
【０００５】
【特許文献１】実用新案登録第３１７４８０１号公報
【発明の概要】
【発明が解決しようとする課題】
【０００６】
本発明は、以上のような事情に着目してなされたもので、従来と同様な外観を維持しつつ表示面を増加させることができる看板を提供することを目的とする。
【課題を解決するための手段】
【０００７】
すなわち、本発明は次の構成をなしている。
【０００８】
請求項１に記載の発明は、少なくとも一面側に表示面を有した第一の看板本体と、表裏両面に表示面を有した第二の看板本体と、これら看板本体の相対的な対面角度を変更し得るように前記看板本体同士を接続する回動連結手段と、少なくとも前記第二の看板本体に設けられ前記両表示面を表裏反転させるための表示面反転手段とを具備してなり、表裏両面に表示面を有した前記看板本体が、前記回動連結手段を介して相手側の看板本体に接続される回動部と、この回動部に一体回動可能に支持され両面に表示面を有した反転部とを備えたものであり、前記表示面反転手段が、前記反転部を前記回動部に軸を介して反転動作可能に支持させたものであり、前記反転部が、前記回動部に前記軸を介して支持されたものであり、前記表示面を設けた枠体と、この枠体の下端部から下方に延出させた脚とを備えたものである看板である。
【０００９】
請求項２に記載の発明は、それぞれ表裏両面に表示面を有した対をなす看板本体と、これら看板本体の相対的な対面角度を変更し得るように前記看板本体同士を接続する回動連結手段と、前記看板本体にそれぞれ設けられ前記両表示面を表裏反転させるための表示面反転手段とを具備してなり、表裏両面に表示面を有した前記看板本体が、前記回動連結手段を介して相手側の看板本体に接続される回動部と、この回動部に一体回動可能に支持され両面に表示面を有した反転部とを備えたものであり、前記表示面反転手段が、前記反転部を前記回動部に軸を介して反転動作可能に支持させたものであり、前記反転部が、前記回動部に前記軸を介して支持されたものであり、前記表示面を設けた枠体と、この枠体の下端部から下方に延出させた脚とを備えたものである看板である。
【００１３】
請求項３に記載の発明は、表裏両面に表示面を有した前記看板本体が、前記反転部の前記回動部に対する反転動作が禁止されたロック状態と、前記反転部の前記回動部に対する反転動作が許容されるロック解除状態とを選択的にとり得るロック機構を備えている請求項１又は２記載の看板である。
【００１４】
請求項４に記載の発明は、前記回動連結手段が、蝶番を介して前記両看板本体の上端同士を連結したものである請求項１、２又は３記載の看板である。
【発明の効果】
【００１５】
以上説明したように本発明によれば、従来と同様な外観を維持しつつ表示面を増加させることができる看板を提供することができるものとなる。
【図面の簡単な説明】
【００１６】
【図１】本発明の一実施形態を示す収納状態の正面図。
【図２】同実施形態における収納状態の側面図。
【図３】同実施形態における使用状態の斜視図。
【図４】同実施形態における作動説明図。
【図５】同実施形態における作動説明図。
【図６】同実施形態における作動説明図。
【図７】同実施形態における作動説明図。
【図８】同実施形態における作動説明図。
【図９】同実施形態における作動説明図。
【図１０】同実施形態における作動説明図。
【図１１】他の実施形態を示す斜視図。
【図１２】同実施形態における作動説明図。
【発明を実施するための形態】
【００１７】
以下、本発明の一実施形態を、図１〜１０を参照して説明する。
【００１８】
この実施形態は、本発明を、店先に設置して宣伝広告等の目的に使用される看板Ａに適用したものである。
【００１９】
この看板Ａは、それぞれ表裏両面に表示面ｈ１、ｈ２を有した対をなす第一、第二の看板本体Ｂ、Ｃと、これら第一、第二の看板本体Ｂ、Ｃの相対的な対面角度を変更し得るように前記第一、第二の看板本体Ｂ、Ｃの上端同士を接続する回動連結手段たる蝶番Ｄと、前記第一、第二の看板本体Ｂ、Ｃにそれぞれ設けられ前記両表示面ｈ１、ｈ２を表裏反転させるための表示面反転手段Ｅとを具備してなる。
【００２０】
まず、第一、第二の看板本体Ｂ、Ｃについて説明する。なお、第一、第二の看板本体Ｂ、Ｃは、同一の構成をなしているため、本明細書では、第一の看板本体Ｂの各構成について詳述し、第二の看板本体Ｃにおける各構成については、第一の看板本体Ｂと同一の符号を付して説明を省略する。
【００２１】
第一の看板本体Ｂは、表裏両面に表示面ｈ１、ｈ２を有したものであり、蝶番Ｄを介して相手側すなわち第二の看板本体Ｃに接続される回動部１と、この回動部１に一体回動可能に支持され両面に表示面ｈ１、ｈ２を有した反転部２とを備えている。
【００２２】
回動部１は、左右方向に伸びる角棒状のものであり、第一、第二の看板本体Ｂ、Ｃの回動部１同士が、蝶番Ｄを介して相対回動可能に連結されている。すなわち、蝶番Ｄは、対をなす蝶片ｄ１の上端同士を図示しない蝶番軸を介して回動可能に接続した通常のものであり、各蝶片は、回動部１の対向面にそれぞれ図示しないビスを介して接続されている。
【００２３】
反転部２は、回動部１と略同一の幅寸法に設定されたものであり、回動部１の左右方向中央に前記軸ｊ１を介して支持され下端に脚ｋを有したものである。詳述すれば、この反転部２は、枠体ｗと、この枠体ｗの下端部両側から下方に延出させた脚ｋと、前記枠体ｗの内側に嵌め込まれ両面に一方、他方の表示面ｈ１、ｈ２を有した表示板ｈとを備えたものである。枠体ｗは、上枠２１と、この上枠２１の左右両端から下方に延出させた左右の側枠２２と、これら側枠２２同士を接続する下枠２３とを備えたもので、前記側枠２２を前記下枠２３よりも下方に延ばすことにより前記脚ｋを形成している。一対の脚ｋ間には空間が形成される。そして、その空間には、例えば、図５、及び、図６に示すような態様で、使用者の体を入れることができるようになっている。表示板ｈは、例えば、黒板と称される構成のもので両面に形成された表示面ｈ１、ｈ２にチョーク等を用いて文字や図柄などを消し込み可能に記述することができるようにしたものである。
【００２４】
回動連結手段である蝶番Ｄは、第一、第二の看板本体Ｂ、Ｃの上端同士を回動可能に連結したものある。この実施形態では、金属製の蝶番Ｄが、第一、第二の看板本体Ｂ、Ｃの回動部１同士を連結している。
【００２５】
表示面反転手段Ｅは、反転部２を回動部１に軸ｊ１を介して反転動作可能に支持させたものである。すなわち、表示面反転手段Ｅは、反転部２における上枠２１の左右方向中央部分を前記軸ｊ１を介して回動部１の左右方向中央部分に回動可能に支持させたものであり、前記軸ｊ１の軸心は、前記蝶番Ｄにおける蝶番軸の軸心と正面視において略直角をなしている。
【００２６】
ロック機構Ｇは、表裏両面に表示面ｈ１、ｈ２を有した第一の看板本体Ｂが、反転部２の回動部１に対する反転動作が禁止されたロック状態（Ｌ）と、反転部２の回動部１に対する反転動作が許容されるロック解除状態（Ｎ）とを選択的に採り得るものである。
【００２７】
具体的に説明すれば、ロック機構Ｇは、回動部１に貫通させたロックピン３と、前記反転部２の上枠２１に設けられこのロックピン３の貫通端３２が係脱する係合凹部ｎ１とを備えたものである。ロックピン３は、操作端３１を回動部１の上面から突出させた状態で、当該回動部１に軸心方向にスライド可能に貫設されたものであり、前記操作端３１を操作することによりロックピン３の貫通端３２が回動部１の下面から突没し得るようになっている。ロックピン３の貫通端３２が、反転部２の係合凹部ｎ１に嵌合しているロック状態（Ｌ）では、反転部２が回動部１に対して反転動作し得ないようになっている。ロックピン３の貫通端３２が、反転部２の係合凹部ｎ１から抜き取られたロック解除状態（Ｎ）では、反転部２が回動部１に対して反転動作し得るようになっている。
【００２８】
以上説明した第一、第二の看板本体Ｂ、Ｃの中間部分には、これら両看板本体Ｂ、Ｃを所定の対面角度で保持するためのフック機構Ｈが設けられている。このフック機構Ｈは、通常のものであるため、図１、図２、及び、図４〜１０においては図示を省略している。
【００２９】
看板Ａは、以上に説明した構成のものであるため、従来のものと同様に、図１、及び、図２に示すように、第一、第二の看板本体Ｂ、Ｃを相互に密着させた収納姿勢（Ｆ）と、図３に示すように、第一、第二の看板本体Ｂ、Ｃ同士を一定の角度をなすように開いた使用姿勢（Ｕ）とを採らせることができ、その使用姿勢（Ｕ）において店先などに設置して使用することができる。この使用姿勢（Ｕ）では、必要に応じて、フック機構Ｈによって、第一、第二の看板本体Ｂ、Ｃとが所定の相対位置で安定した状態に保持され得るようになっている。
【００３０】
この使用姿勢（Ｕ）においては、第一、第二の看板本体Ｂ、Ｃにおける一方の表示面ｈ１がそれぞれ外側すなわち表側に表出しているが、例えば、第一の看板本体Ｂにおける他方の表示面ｈ２を表側に表出させたい場合には、第一の看板本体Ｂを略水平位置まで回動させた上で、第一の看板本体Ｂにおける反転部２を回動部１に対して反転動作させることにより実現することができる。ここで、図４に示すものは、その反転動作の過程において、反転部２が回動部１に対して約９０°反転した状態を表している。
【００３１】
第一の看板本体Ｂにおける表示板ｈを表裏反転させて一方表示面ｈ１、又は、他方の表示面ｈ２を外部に表出させるための操作は、例えば、図５〜１０に示すような手順により行うことができる。
【００３２】
まず、図５に示すように、図示しないフック機構Ｈによる安定保持状態を解除した上で、第一の看板本体Ｂの下端側（例えば脚ｋ）を手で把持して、第一の看板本体Ｂの全体が略水平姿勢になるまで持ち上げる。
【００３３】
そして、図６に示すように、ロック機構Ｇによるロック状態（Ｌ）を解除する。すなわち、使用者は、ロックピン３の操作端３１を摘んで外方に牽引すれば、ロックピン３の貫通端３２が上枠２１の係合凹部ｎ１から離脱して、ロック状態（Ｌ）が解除されることになる。なお、この実施形態では、ロックピン３の操作端３１が、使用者から見て回動部１における左寄りの箇所から突出するように設けられている。このため、通常は、左手によって第一の看板本体Ｂを略水平の状態に保持しつつ、右手でロックピン３を外方に引くことになるが、この際、使用者における体の捻りを利用してロックピン３を外方に引くことができるため操作が容易に行い得る。
【００３４】
なお、図５、及び、図６に示すように、一対の脚ｋ間に設けられた空間に使用者の体を入れることができるので、一連の操作を容易に行うことができるようになっている。
【００３５】
次いで、図７〜９に示すように、第一の看板本体Ｂの反転部２を、軸ｊ１まわりに反転動作させる。
【００３６】
しかる後に、表側に表出させたい他方の表示面ｈ２が上を向き、反転部２の上枠２１と回動部１が合致した段階で、図１０に示すように、ロックピン３の操作端３１を反転部２方向に押し込む。これにより、ロックピン３の貫通端３２が反転部２の係合凹部ｎ１に嵌合し、反転部２の回動部１に対する反転動作が禁止される。すなわち、この状態では、反転部２と回動部１とを蝶番Ｄの軸心まわりに一体的に回動させることができる。
【００３７】
この状態で、持ち上げていた第一の看板本体Ｂを降下させて、図３に示すような使用姿勢（Ｕ）に復帰させると、第一の看板本体Ｂにおける当初は内側に隠れていた他方の表示面ｈ２が表に表出した状態で使用することが可能となる。
【００３８】
第二の看板本体Ｃにおける一方、他方の表示面ｈ１、ｈ２を表裏入れ替える場合にも、これに準じた操作により行うことができる。
【００３９】
以上説明したように、本実施形態に示す看板Ａによれば、四つの表示面ｈ１、ｈ２、ｈ１、ｈ２すなわち、第一の看板本体Ｂにおける一方及び他方の表示面ｈ１、ｈ２、並びに、第二の看板本体Ｃにおける一方及び他方の表示面ｈ１、ｈ２を適宜反転させて表示させることができるため、二つしか表示面を有しない従来のものと比べて、表示面ｈ１、ｈ２に対する取り換えや書き換えの頻度を確実に低減させることが可能となる。
【００４０】
本実施形態に係る看板Ａは、それぞれ表裏両面に表示面である一方、及び、他方の表示面ｈ１、ｈ２を有した対をなす第一、第二の看板本体Ｂ、Ｃと、これら第一、第二の看板本体Ｂ、Ｃの相対的な対面角度を変更し得るように前記第一、第二の看板本体Ｂ、Ｃの上端同士を接続する回動連結手段たる蝶番Ｄと、前記第一、第二の看板本体Ｂ、Ｃにそれぞれ設けられ前記両表示面ｈ１、ｈ２を表裏反転させるための表示面反転手段Ｅとを具備している。このため、従来と同様な外観を維持しつつ表示面ｈ１、ｈ２を増加させることができる看板を提供することができるものとなる。
【００４１】
第一、第二の看板本体Ｂ、Ｃが、蝶番Ｄを介して相手側の看板本体Ｃ、Ｂに接続される回動部１と、この回動部１に一体回動可能に支持され両面に表示面ｈ１、ｈ２を有した反転部２とを備えている。そして、表示面反転手段Ｅが、反転部２を回動部１に軸ｊ１を介して反転動作可能に支持させたものである。このため反転部２を回動部１に対して回転可能な構成を好適に実現し得るものとなっている。
【００４２】
第一、第二の看板本体Ｂ、Ｃが、左右方向に伸びる角棒状の回動部１と、この回動部１の左右方向中央に前記軸ｊ１を介して支持され下端に脚ｋを有した反転部２とを備えたものである。このため、反転部２を脚ｋを把持して容易に回動操作することができるものとなっている。
【００４３】
表裏両面に表示面ｈ１、ｈ２を有した第一、第二の看板本体Ｂ、Ｃが、前記反転部２の前記回動部１に対する反転動作が禁止されたロック状態（Ｌ）と、前記反転部２の前記回動部１に対する反転動作が許容されるロック解除状態（Ｎ）とを選択的にとり得るロック機構Ｇを備えている。このため、ロック状態（Ｌ）では、反転部２の反転動作が禁止されるものとなるため、使用状態において安定した状態が保持され得るものとなっている。
【００４４】
回動連結手段が、蝶番Ｄを介して第一、第二の看板本体Ｂ、Ｃの上端同士を連結したものである。このため、収納に適した収納姿勢（Ｆ）と使用に適した使用姿勢（Ｕ）とを好適に採り得るものとなっている。
【００４５】
なお、本発明は、以上に詳述した実施形態に限られるものではない。
【００４６】
上述した実施形態においては、第一、第二の看板本体が、表裏両面に表示面を有したものについて説明したが、一方側の看板本体は、一面側だけに表示面を有し、他方側の看板本体だけが表裏両面に表示面を有したものであってもよい。この場合でも、三つの表示面を使い分けることができるため、従来のものに比べて使い勝手がよい。換言すれば、第一、第二の看板本体の何れか一方は、一面側にだけ表示面を有したものであってもよい。
【００４７】
また、看板本体の構成も、図１〜１０に示すものに限られず、種々変形が可能であることはもちろんのことである。
【００４８】
ここで、図１１〜１２に示す看板は、その一例を示すものである。なお、上述した実施形態と同一又は対応する構成については同一の符号を付すこととし説明を省略する。
【００４９】
図１１〜１２に示す看板Ａは、第一、第二の看板本体Ｂ、Ｃが、枠体の下端に脚ｋを有してなる回動部５と、この回動部５の枠体ｐの内側に軸ｊ２を介して反転動作可能に配された反転部２とを備えたものである。
【００５０】
回動部５の枠体ｐは、上枠５１と、この上枠５１の両端から下方に延出する左右の側枠５２と、これら側枠５２同士を連結する下枠５３とを備えたもので、前記側枠５２の下端部を下枠５３よりも下方に延出させることにより脚ｍを形成している。そして、第一の看板本体Ｂの上枠５１と第二の看板本体Ｃの上枠５１とを回動連結手段を構成する蝶番Ｄを介して回動可能に連結している。  反転部６は、回動部５の枠体ｐの内側に配された内枠体ｔとこの内枠体ｔの内側に嵌め込まれた表示板ｈとを備えたものである。内枠体ｔは、内上枠材６１と、この内上枠材６１の左右両端から下方に延出させた内側枠材６２と、この内側枠材６２の下端部間を連結する内下枠材６３とを備えたもので、内上枠材６１の左右方向中央部分を、回動部５の上枠５１における左右方向中央部分に上の軸ｊ２を介して支持させるとともに内下枠材６３の左右方向中央部分を回動部５の下枠５３における左右方向中央部分に下の軸ｊ２を介して支持させている。なお、回動部５の枠体ｐと反転部６の内枠体ｔとは、左右の軸により相対回動可能に連結してもよい。すなわち、枠体ｐにおける左右の側枠５２の上下方向中間部と、内枠体ｔにおける内側枠材６２の上下方向中間部とを軸を介して接続するようにしてもよい。表示板ｈは、例えば、黒板と称される構成のもので、両面に形成された表示面ｈ１、ｈ２にチョーク等を用いて文字や図柄などを消し込み可能に記述することができるようにしたものである。
【００５１】
ロック機構Ｇは、前記回動部５の枠体ｐと反転部６の内枠体ｔとの間に設けられている。この実施形態では、ロック機構Ｇは、内上枠材６１、内下枠材６３、上枠５１、下枠５３のそれぞれ対応する位置に図示しない磁石を設けてなる。より詳しく言えば、磁石は、反転部６が回動部５の枠体ｐ内に位置している際に対面し合うように、内上枠材６１、内下枠材６３、上枠５１、下枠５３の各部位に配設されている。このようにすることで、反転部６は、回動部５の枠体ｐ内に収まった位置において、磁力によって枠体ｐに対する回動が規制され、静止し得るようになっている。
【００５２】
なお、ロック機構Ｇは、上述したもの以外にも、回動部５の枠体ｐと反転部６の内枠体ｔとの間に適宜の部材を用いて構成してもよいのはもちろんである。例えば、ロック機構Ｇは、軸や鉤状の部材を用いて構成したものであってもよい。
【００５３】
このような構成のものであれば、図１２に示すように、内枠体ｔと表示板ｈとを主体に構成した反転部６を回動部５に対して反転動作させることができるため、図１〜１０に示す実施形態に準じた作用効果を奏し得るものとなる。
【００５４】
なお、本発明における表示板は、黒板と称されるもの以外にも、種々採用が可能である。表示板は、例えば、ホワイトボードと称される表示面を有したものであってもよいし、電子的な表示面を有したものであってもよい。表示板における表示面は、使用者が筆記により文字等を表示できるものには限られず、例えば、磁石やピン等の留め具を用いて印刷した用紙等の表示物を掲示し得るようにしたものであってもよい。
【００５５】
回動連結手段は、第一、第二の看板本体同士を接続し得るものであればよく、上述した実施形態のように、両看板本体の上端同士を接続するものには限られない。回動連結手段は、例えば、第一、第二の看板本体の一側端同士を接続するものであってもよい。
【００５６】
その他、各部の具体的構成についても上記実施形態に限られるものではなく、本発明の趣旨を逸脱しない範囲で種々変形が可能である。
【符号の説明】
【００５７】
Ａ…看板
Ｂ…第一の看板本体
Ｃ…第二の看板本体
ｈ１、ｈ２…表示面
Ｄ…蝶番（回動連結手段）
Ｅ…表示面反転手段
Ｇ…ロック機構
【図１】
0006628614.tif 000002
【図２】
0006628614.tif 000003
【図３】
0006628614.tif 000004
【図４】
0006628614.tif 000005
【図５】
0006628614.tif 000006
【図６】
0006628614.tif 000007
【図７】
0006628614.tif 000008
【図８】
0006628614.tif 000009
【図９】
0006628614.tif 000010
【図１０】
0006628614.tif 000011
【図１１】
0006628614.tif 000012
【図１２】
0006628614.tif 000013